(57)【要約】【課題】洗濯処理剤の自動投入に関する情報をユーザに適切なタイミングで提示することができる技術を提供する。【解決手段】洗濯機は、洗濯槽と、前記洗濯槽内に洗濯処理剤を自動的に投入する自動投入装置と、前記自動投入装置によって前記洗濯槽内に投入される洗濯処理剤を収容する処理剤タンクであって、前記自動投入装置に着脱される前記処理剤タンクと、前記自動投入装置に対する前記処理剤タンクの着脱を検出すると共に、前記処理剤タンクが前記自動投入装置に取り付けられているときに前記処理剤タンクに収容されている洗濯処理剤の量を検出する検出部と、表示部と、制御部と、を備えている。前記制御部は、前記自動投入装置に前記処理剤タンクが取り付けられたことが前記検出部によって検出された場合は、前記検出部によって検出される洗濯処理剤の量を示す処理剤量情報を前記表示部に表示する。【選択図】図１
2020074823.tif 000002
【特許請求の範囲】
【請求項１】
洗濯槽と、
前記洗濯槽内に洗濯処理剤を自動的に投入する自動投入装置と、
前記自動投入装置によって前記洗濯槽内に投入される洗濯処理剤を収容する処理剤タンクであって、前記自動投入装置に着脱される前記処理剤タンクと、
前記自動投入装置に対する前記処理剤タンクの着脱を検出すると共に、前記処理剤タンクが前記自動投入装置に取り付けられているときに前記処理剤タンクに収容されている洗濯処理剤の量を検出する検出部と、
表示部と、
制御部と、を備えており、
前記制御部は、前記自動投入装置に前記処理剤タンクが取り付けられたことが前記検出部によって検出された場合は、前記検出部によって検出される洗濯処理剤の量を示す処理剤量情報を前記表示部に表示する、洗濯機。
【請求項２】
前記制御部は、前記自動投入装置に前記処理剤タンクが取り付けられたことが前記検出部によって検出された場合は、前記自動投入装置に前記処理剤タンクが取り付けられたことを示す取り付け情報を前記表示部に表示する、請求項１に記載の洗濯機。
【請求項３】
前記制御部は、前記自動投入装置に前記処理剤タンクが取り付けられたことが前記検出部によって検出された場合は、予め設定された洗濯処理剤の種類を示す種類情報を前記表示部に表示する、請求項１又は２に記載の洗濯機。
【請求項４】
前記制御部は、前記自動投入装置に前記処理剤タンクが取り付けられたことが前記検出部によって検出された場合は、予め設定された前記自動投入装置によって前記洗濯槽に投入される洗濯処理剤の量を示す投入量情報を前記表示部に表示する、請求項１から３のいずれか一項に記載の洗濯機。
【請求項５】
前記制御部は、前記自動投入装置から前記処理剤タンクが取り外されたことが前記検出部によって検出された場合は、前記処理剤タンクに洗濯処理剤を注入する方法を示す注入方法情報、及び／又は、前記処理剤タンクを洗浄する方法を示す洗浄方法情報を前記表示部に表示する、請求項１から４のいずれか一項に記載の洗濯機。
【発明の詳細な説明】
【技術分野】
【０００１】
本明細書に開示する技術は、洗濯機に関する。
【背景技術】
【０００２】
特許文献１には洗濯機が開示されている。特許文献１の洗濯機は、洗濯槽と、洗濯槽内に洗剤を自動的に投入する自動投入装置と、自動投入装置によって洗濯槽内に投入される洗剤を収容する洗剤タンクと、洗剤タンクに収容されている洗剤の量を検出する検出部とを備えている。特許文献１の洗濯機では、検出部によって検出された洗剤の量を示す情報が表示部に表示される。
【先行技術文献】
【特許文献】
【０００３】
【特許文献１】特開２００６−３３４２０４号公報
【発明の概要】
【発明が解決しようとする課題】
【０００４】
特許文献１の洗濯機では、例えば洗濯終了後に、洗剤タンクに収容されている洗剤の量を示す情報が表示部に表示される。しかしながら、洗濯終了後では、洗剤の量を示す情報が表示部に表示されたとしても、洗濯機のユーザがその情報を確認しないことがある。本明細書は、洗濯処理剤の自動投入に関する情報をユーザに適切なタイミングで提示することができる技術を提供する。
【課題を解決するための手段】
【０００５】
本明細書に開示する洗濯機は、洗濯槽と、前記洗濯槽内に洗濯処理剤を自動的に投入する自動投入装置と、前記自動投入装置によって前記洗濯槽内に投入される洗濯処理剤を収容する処理剤タンクであって、前記自動投入装置に着脱される前記処理剤タンクと、前記自動投入装置に対する前記処理剤タンクの着脱を検出すると共に、前記処理剤タンクが前記自動投入装置に取り付けられているときに前記処理剤タンクに収容されている洗濯処理剤の量を検出する検出部と、表示部と、制御部と、を備えている。前記制御部は、前記自動投入装置に前記処理剤タンクが取り付けられたことが前記検出部によって検出された場合は、前記検出部によって検出される洗濯処理剤の量を示す処理剤量情報を前記表示部に表示する。
【図面の簡単な説明】
【０００６】
【図１】実施例に係る洗濯機の斜視図である。
【図２】実施例に係る洗濯機を模式的に示す図である。
【図３】実施例に係る洗濯機のブロック図である。
【図４】実施例に係る自動投入装置を模式的に示す図である。
【図５】第１表示処理のフローチャートである。
【図６】表示部に表示される情報の一例を示す図である。
【図７】第２表示処理のフローチャートである。
【図８】表示部に表示される情報の一例を示す図である。
【図９】表示部に表示される画面の一例を示す図である。
【発明を実施するための形態】
【０００７】
実施例に係る洗濯機１０について図面を参照して説明する。図１及び図２に示すように、実施例に係る洗濯機１０は、本体１１と、蓋１２と、洗濯槽１３と、ドラム１４と、モータ１５とを備えている。実施例に係る洗濯機１０はドラム式の洗濯機である。また、洗濯機１０は、給水路１６と、排水路１７と、自動投入装置２０と、洗剤タンク３０（処理剤タンクの一例）と、柔軟剤タンク５０（処理剤タンクの他の一例）とを備えている。また、洗濯機１０は、図３に示すように、検出部４３と、表示部４４と、操作部４５と、制御部４１と、記憶部４２とを備えている。
【０００８】
図１及び図２に示すように、洗濯機１０の本体１１は開口部１１１を備えている。洗濯機１０の蓋１２は、本体１１に取り付けられており、本体１１の開口部１１１を開閉する。本体１１の内部に洗濯槽１３、ドラム１４及びモータ１５が配置されている。
【０００９】
洗濯槽１３は、本体１１の内部の中央部に配置されている。洗濯槽１３は洗濯用の水を収容する。ドラム１４は、洗濯槽１３の内部に配置されており、洗濯槽１３の内部で回転する。ドラム１４は洗濯物を収容した状態で回転する。モータ１５は、ドラム１４の後方に配置されており、ドラム１４を回転させる。
【００１０】
洗濯機１０の給水路１６は、その上流端部が給水源（図示省略）に接続されており、下流端部が洗濯槽１３に接続されている。給水路１６は、給水源から洗濯槽１３内に水を供給する。給水路１６には給水弁１８が設けられている。給水弁１８は給水路１６を開閉する。給水弁１８が開状態になると洗濯槽１３に水が供給される。
【００１１】
洗濯機１０の排水路１７は、その上流端部が洗濯槽１３に接続されており、下流端部が例えば洗濯パンの排水口（図示省略）に接続されている。排水路１７は、洗濯槽１３内の水を排水口に排出する。排水路１７には排水弁１９が設けられている。排水弁１９は、排水路１７を開閉する。排水弁１９が開状態になると洗濯槽１３内の水が排出される。
【００１２】
洗濯機１０の自動投入装置２０は、本体１１の内部に配置されている。自動投入装置２０は、本体１１の上部に配置されている。自動投入装置２０は、洗濯槽１３内に洗濯処理剤（例えば、洗剤、柔軟剤、漂白剤等）を自動的に投入することができる装置である。自動投入装置２０は、洗剤タンク３０が自動投入装置２０に取り付けられている状態で、洗剤タンク３０に収容されている洗剤を洗濯槽１３に自動的に投入する。また、自動投入装置２０は、柔軟剤タンク５０が自動投入装置２０に取り付けられている状態で、柔軟剤タンク５０に収容されている柔軟剤を洗濯槽１３に自動的に投入する。
【００１３】
図４に示すように、自動投入装置２０は、着脱容器２１と、蓋２８と、第１洗剤供給路２２と、ピストンポンプ２３と、第２洗剤供給路２４とを備えている。着脱容器２１は、洗剤タンク３０を収容する。着脱容器２１に対して洗剤タンク３０が着脱される。洗濯機１０のユーザが、洗剤タンク３０を着脱容器２１に取り付ける、或いは、着脱容器２１から洗剤タンク３０を取り外す。蓋２８は、着脱容器２１の開口部２１１を開閉する。洗剤タンク３０には、液体の洗剤（洗濯処理剤の一例）が収容される。また、自動投入装置２０の着脱容器２１は、柔軟剤タンク５０（図３では図示省略）を収容する。柔軟剤タンク５０には、液体の柔軟剤（洗濯処理剤の他の一例）が収容される。以下の説明では、柔軟剤タンク５０については、内部に収容されている液体の種類以外は洗剤タンク３０と同様の構成なので、詳細な説明を省略する。
【００１４】
洗剤タンク３０は、注入口３１と、排出口３２とを備えている。洗剤タンク３０の注入口３１から洗剤タンク３０内に洗剤が注入される。洗濯機１０のユーザが、洗剤タンク３０内に洗剤を注入する。ユーザは、洗剤タンク３０が着脱容器２１に取り付けられている状態で、或いは、洗剤タンク３０が着脱容器２１から取り外されている状態で、洗剤タンク３０内に洗剤を注入することができる。洗剤タンク３０内の洗剤は、洗剤タンク３０の排出口３２から排出される。
【００１５】
自動投入装置２０の第１洗剤供給路２２は、その上流端部が着脱容器２１に接続されており、下流端部がピストンポンプ２３に接続されている。第１洗剤供給路２２の上流端部は、着脱容器２１に洗剤タンク３０が取り付けられたときに、洗剤タンク３０の排出口３２に接続される。第１洗剤供給路２２は、洗剤タンク３０からピストンポンプ２３に洗剤を供給する。第１洗剤供給路２２には第１逆止弁２５が設けられている。第１逆止弁２５は、着脱容器２１側からピストンポンプ２３側への洗剤の流れを許容し、その反対側への洗剤の流れを禁止する。
【００１６】
自動投入装置２０の第２洗剤供給路２４は、その上流端部がピストンポンプ２３に接続されており、下流端部が上述した給水路１６に接続されている。第２洗剤供給路２４は、ピストンポンプ２３から給水路１６へ洗剤を供給する。第２洗剤供給路２４には第２逆止弁２６が設けられている。第２逆止弁２６は、ピストンポンプ２３側から給水路１６側への洗剤の流れを許容し、その反対側への洗剤の流れを禁止する。
【００１７】
ピストンポンプ２３は、第１洗剤供給路２２を介して洗剤タンク３０から洗剤を吸引し、第２洗剤供給路２４を介して給水路１６へ洗剤を吐出する。ピストンポンプ２３は、予め設定された容量の洗剤を洗剤タンク３０から吸引して給水路１６へ吐出する。給水路１６へ吐出された洗剤は、給水路１６を流れる水と合流して洗濯槽１３内に供給される。このようにして、洗剤タンク３０に収容されている洗剤が洗濯槽１３内に自動的に投入される。なお、上記の洗濯機１０では、ユーザが手動で洗濯槽１３内に洗剤を投入してもよい。
【００１８】
自動投入装置２０の着脱容器２１の下部には検出部４３が固定されている。検出部４３は、例えば重量センサである。検出部４３は、洗剤タンク３０の重量を検出することができる。洗剤タンク３０が自動投入装置２０に取り付けられたときに、検出部４３が洗剤タンク３０の重量を検出する。これによって検出部４３は、洗剤タンク３０が自動投入装置２０に取り付けられたことを検出することができる。また、検出部４３は、自動投入装置２０から洗剤タンク３０が取り外されたことを検出することができる。また、検出部４３は、洗剤タンク３０に収容されている洗剤の重量を検出することができる。検出部４３は、例えば、洗剤タンク３０に洗剤が収容されているときの検出重量と、洗剤タンク３０に何も収容されていないときの重量との差分に基づいて、洗剤の重量を検出することができる。また、検出部４３は、検出した洗剤の重量に基づいて洗剤の容量を認識することができる。
【００１９】
図１に示すように、洗濯機１０の表示部４４は、本体１１の上部に配置されている。表示部４４は、例えば液晶パネルである。表示部４４には、洗濯機１０に関する様々な情報が表示される。また、表示部４４は、操作部４５と一体的に構成されている。操作部４５は、例えば液晶のタッチパネルである。操作部４５は、洗濯機１０に関する様々な操作を受け付ける。洗濯機１０のユーザが操作部４５を操作することによって様々な操作を実行する。例えば、ユーザは、操作部４５を操作することによって、使用する洗剤の種類を示す種類情報を入力することができる。また、ユーザは、操作部４５を操作することによって、１回の洗濯で使用する洗剤の容量（すなわち、自動投入装置２０によって洗濯槽１３に投入される洗剤の投入量）を示す投入量情報を入力することができる。
【００２０】
図３に示す記憶部４２は、洗濯機１０に関する様々な情報を記憶している。例えば、記憶部４２は、洗剤タンク３０を自動投入装置２０に取り付ける方法を示す取り付け方法情報を記憶している。また、記憶部４２は、洗剤タンク３０に洗剤を注入する方法を示す注入方法情報を記憶している。また、記憶部４２は、洗剤タンク３０を洗浄する方法を示す洗浄方法情報を記憶している。また、記憶部４２は、洗濯機１０のユーザによって予め設定された洗剤の種類を示す種類情報を記憶している。また、記憶部４２は、自動投入装置２０によって洗濯槽１３に投入される洗剤の容量を示す投入量情報を記憶している。洗剤の投入量は、洗濯機１０のユーザによって予め設定される。
【００２１】
制御部４１は、例えば、ＣＰＵ、ＲＯＭ及びＲＡＭ等を備えている。制御部４１は、所定のプログラムに基づいて自動投入装置２０のピストンポンプ２３の動作を制御する。制御部４１は、所定量の洗剤が洗剤タンク３０から洗濯槽１３に自動的に供給されるようにピストンポンプ２３の動作を制御する。
【００２２】
次に、洗濯機１０で実行される第１表示処理について説明する。図５は、第１表示処理のフローチャートである。第１表示処理は、例えば、洗濯機１０の電源がオンになると開始される。図５に示すように、第１表示処理のＳ１０では、制御部４１が、洗剤タンク３０が自動投入装置２０に取り付けられたか否かを判断する。洗剤タンク３０が自動投入装置２０に取り付けられると、検出部４３がそれを検出する。検出部４３は、洗剤タンク３０が取り外されている状態から取り付けられた状態に変化したことを検出する。検出部４３によって洗剤タンク３０の取り付けが検出された場合は、Ｓ１０で制御部４１がＹＥＳと判断してＳ１１に進む。そうでない場合は、Ｓ１０で制御部４１がＮＯと判断して待機する。
【００２３】
続くＳ１１では、制御部４１が、様々な情報を表示部４４に表示する。例えば、制御部４１は、洗剤タンク３０が自動投入装置２０に取り付けられたことを示す取り付け情報を表示部４４の領域Ｒ１に表示する（図６参照）。また、制御部４１は、洗剤タンク３０に収容されている洗剤の容量（すなわち、検出部４３によって検出された洗剤の容量）を示す洗剤量情報を表示部４４の領域Ｒ２に表示する（図６参照）。洗剤タンク３０が自動投入装置２０に取り付けられた状態で、洗剤タンク３０に収容されている洗剤の容量を検出部４３が検出することができる。制御部４１は、洗剤タンク３０に収容されている洗剤が満タンである場合は、例えば「ＦＵＬＬ」の表示を表示部４４に表示してもよい。また、制御部４１は、洗剤の種類を示す種類情報を表示部４４の領域Ｒ３に表示する（図６参照）。洗剤の種類は、洗濯機１０のユーザが操作部４５を操作することによって、予め設定されている。また、制御部４１は、自動投入装置２０によって洗濯槽１３に自動的に投入される洗剤の投入量を示す投入量情報を表示部４４の領域Ｒ４に表示する。洗剤の投入量は、洗濯機１０のユーザが操作部４５を操作することによって、予め設定されている。洗剤の投入量は、例えば、「多め」、「普通」、「少なめ」等である。また、制御部４１は、柔軟剤に関する情報についても洗剤に関する情報と同様に表示部４４に表示する。また、制御部４１は、例えば、戻るボタンＢ１、スタートボタンＢ２、閉じるボタンＢ１等を表示部４４に表示してもよい。
【００２４】
図５に示すように、Ｓ１１の後のＳ１２では、制御部４１が、洗剤タンク３０が自動投入装置２０に取り付けられてから所定時間が経過したか否かを判断する。所定時間が経過した場合は、Ｓ１２で制御部４１がＹＥＳと判断してＳ１３に進む。そうでない場合は、制御部４１がＮＯと判断して待機する。続くＳ１３では、制御部４１が、表示部４４に初期画面を表示する。その後、制御部４１が第１表示処理を終了する。
【００２５】
次に、洗濯機１０で実行される第２表示処理について説明する。図７は、第２表示処理のフローチャートである。第２表示処理は、例えば、洗濯機１０の電源がオンになると開始される。第２表示処理のＳ２０では、制御部４１が、洗剤タンク３０が自動投入装置２０から取り外されたか否かを判断する。洗剤タンク３０が自動投入装置２０から取り外されると、検出部４３がそれを検出する。検出部４３は、洗剤タンク３０が取り付けられている状態から取り外された状態に変化したことを検出する。検出部４３によって洗剤タンク３０の取り外しが検出された場合は、Ｓ２０で制御部４１がＹＥＳと判断してＳ２１に進む。そうでない場合は、Ｓ２０で制御部４１がＮＯと判断して待機する。
【００２６】
続くＳ２１では、制御部４１が、様々な情報を表示部４４に表示する。例えば、制御部４１は、洗剤タンク３０が自動投入装置２０から取り外されたことを示す取り外し情報を表示部４４の領域Ｑ１に表示する（図８参照）。また、制御部４１は、洗剤タンク３０を洗浄する方法を示す洗浄方法情報を表示部４４の領域Ｑ２に表示する（図８参照）。洗浄方法情報は、記憶部４２に予め記憶されている。また、制御部４１は、洗剤タンク３０に洗剤を注入する方法を示す注入方法情報を表示部４４の領域Ｑ３に表示する（図８参照）。注入方法情報は、記憶部４２に予め記憶されている。制御部４１は、柔軟剤に関する情報についても洗剤に関する情報と同様に表示部４４に表示する。
【００２７】
図７に示すように、Ｓ２１の後のＳ２２では、制御部４１が、洗剤タンク３０が自動投入装置２０から取り外されてから所定時間が経過したか否かを判断する。所定時間が経過した場合は、Ｓ２２で制御部４１がＹＥＳと判断してＳ２３に進む。そうでない場合は、制御部４１がＮＯと判断して待機する。続くＳ２３では、制御部４１が、表示部４４に初期画面を表示する。その後、制御部４１が第２表示処理を終了する。
【００２８】
以上、実施例に係る洗濯機１０について説明した。上記の説明から明らかなように、洗濯機１０は、洗濯槽１３と、洗濯槽１３内に洗剤を自動的に投入する自動投入装置２０と、自動投入装置２０によって洗濯槽１３内に投入される洗剤を収容する洗剤タンク３０とを備えている。洗剤タンク３０は、自動投入装置２０に対して着脱される。また、洗濯機１０は、自動投入装置２０に対する洗剤タンク３０の着脱を検出すると共に、洗剤タンク３０が自動投入装置２０に取り付けられているときに洗剤タンク３０に収容されている洗剤の容量を検出する検出部４３を備えている。この洗濯機１０では、制御部４１が、自動投入装置２０に洗剤タンク３０が取り付けられたことが検出部４３によって検出された場合は、検出部４３によって検出される洗剤の容量を示す洗剤量情報を表示部４４に表示する（図５のＳ１０、Ｓ１１、図６）。
【００２９】
この構成によれば、洗剤タンク３０が自動投入装置２０に取り付けられたときに、洗剤タンク３０に収容されている洗剤の容量を示す洗剤量情報が表示部４４に表示されるので、洗剤の自動投入に関する情報をユーザに適切なタイミングで提示することができる。洗濯機１０のユーザは、洗剤タンク３０が自動投入装置２０に取り付けられたときに、そのタイミングですぐに洗剤量情報を確認することができる。そのためユーザは、例えば洗剤タンク３０に洗剤を補充した直後に洗剤の残量を把握することができる。また、例えば、洗剤が満タンである場合は、「ＦＵＬＬ」の表示により満タンであることを確認することができる。また、満タンでない場合であっても、洗剤がどの程度補充されたかを把握することができ、次回の補充の目安を把握することができる。
【００３０】
また、上記の洗濯機１０では、制御部４１が、自動投入装置２０に洗剤タンク３０が取り付けられたことが検出部４３によって検出された場合は、自動投入装置２０に洗剤タンク３０が取り付けられたことを示す取り付け情報を表示部４４に表示する（図５のＳ１０、Ｓ１１、図６）。この構成によれば、例えば、洗濯機１０のユーザが洗剤タンク３０を自動投入装置２０に取り付けたときに、洗剤タンク３０が自動投入装置２０に正確に取り付けられなければ、取り付け情報が表示部４４に表示されない。洗剤タンク３０が自動投入装置２０に正確に取り付けられていれば、取り付け情報が表示部４４に表示される。そのため、洗剤タンク３０が自動投入装置２０に正確に取り付けられたか否かをユーザが確認することができる。
【００３１】
また、制御部４１は、自動投入装置２０に洗剤タンク３０が取り付けられたことが検出部４３によって検出された場合は、予め設定された洗剤の種類を示す種類情報を表示部４４に表示する（図５のＳ１０、Ｓ１１、図６）。この構成によれば、洗剤タンク３０に収容されている洗剤の種類をユーザに提示することができる。また、自動投入装置２０に洗剤タンク３０が取り付けられたタイミングでは、洗剤タンク３０に収容されている洗剤の種類が変更されている可能性がある。このタイミングで制御部４１が種類情報を表示部４４に表示することによって、洗剤の種類が変更されている場合に、設定変更をユーザに促すことができる。
【００３２】
また、制御部４１は、自動投入装置２０に洗剤タンク３０が取り付けられたことが検出部４３によって検出された場合は、予め設定された自動投入装置２０によって洗濯槽１３に投入される洗剤の容量を示す投入量情報を表示部４４に表示する（図５のＳ１０、Ｓ１１、図６）。この構成によれば、洗剤タンク３０に収容されている洗剤の容量を示す洗剤量情報と共に洗剤の投入量を示す投入量情報が併せて表示部４４に表示されるので、洗剤タンク３０に収容されている洗剤の容量が洗剤の投入量に対して多いか少ないかをユーザが確認することができる。また、自動投入装置２０に洗剤タンク３０が取り付けられたタイミングでは、洗剤タンク３０に収容されている洗剤の種類が変更されたことによって、必要な投入量が変化している可能性がある。このタイミングで制御部４１が投入量情報を表示部４４に表示することによって、必要な投入量の設定変更をユーザに促すことができる。
【００３３】
また、上記の洗濯機１０では、制御部４１が、自動投入装置２０から洗剤タンク３０が取り外されたことが検出部４３によって検出された場合は、洗剤タンク３０に洗剤を注入する方法を示す注入方法情報を表示部４４に表示する。また、制御部４１は、洗剤タンク３０を洗浄する方法を示す洗浄方法情報を表示部４４に表示する。制御部４１は、注入方法情報と洗浄方法情報の両方又は一方を表示部４４に表示してもよい。
【００３４】
この構成によれば、洗剤タンク３０が自動投入装置２０から取り外されたタイミングでユーザに適切な情報を提示することができる。例えば、洗剤タンク３０が自動投入装置２０から取り外された場合は、ユーザが洗剤タンク３０に洗剤を補充することが予想される。或いは、ユーザが洗剤タンク３０を洗浄することが予想される。したがって、そのタイミングで洗剤の注入方法や洗剤タンク３０の洗浄方法が表示部４４に表示されるので、ユーザの利便性を向上させることができる。
【００３５】
以上、一実施例について説明したが、具体的な態様は上記実施例に限定されるものではない。以下の説明において、上述の説明における構成と同様の構成については、同一の符号を付して説明を省略する。
【００３６】
（他の実施例）
（１）上記の実施例では、洗剤タンク３０が自動投入装置２０に取り付けられたときに、制御部４１が、洗剤の容量を示す洗剤量情報を表示部４４に表示する構成であった。この構成は、柔軟剤タンク５０についても同様である。すなわち、柔軟剤タンク５０が自動投入装置２０に取り付けられたときに、制御部４１が、柔軟剤の容量を示す柔軟剤量情報を表示部４４に表示する構成であってもよい。
【００３７】
（２）他の実施例では、洗剤タンク３０と柔軟剤タンク５０の両方が自動投入装置２０に取り付けられたときに、制御部４１が、洗剤量情報と柔軟剤量情報の両方を表示部４４に表示する構成であってもよい。制御部４１は、洗剤タンク３０と柔軟剤タンク５０の一方のみが自動投入装置２０に取り付けられたときは、洗剤量情報と柔軟剤量情報を表示部４４に表示しない。制御部４１は、洗剤タンク３０と柔軟剤タンク５０の両方が揃ったときに、洗剤量情報と柔軟剤量情報の両方を表示部４４に表示する。
【００３８】
（３）他の実施例では、洗剤タンク３０と柔軟剤タンク５０の両方が自動投入装置２０に取り付けられたときに、制御部４１が、洗剤タンク３０と柔軟剤タンク５０の両方が自動投入装置２０に取り付けられたことを示す取り付け情報を表示部４４に表示してもよい。その他の情報（例えば、種類情報、投入量情報）についても、洗剤タンク３０と柔軟剤タンク５０の両方が自動投入装置２０に取り付けられたときに、制御部４１が、表示部４４に表示してもよい。
【００３９】
（４）他の実施例では、洗剤タンク３０と柔軟剤タンク５０の両方が自動投入装置２０から取り外されたときに、制御部４１が、洗剤タンク３０と柔軟剤タンク５０の両方が自動投入装置２０に取り外されたことを示す取り外し情報を表示部４４に表示してもよい。その他の情報（例えば、注入方法情報、洗浄方法情報）についても、洗剤タンク３０と柔軟剤タンク５０の両方が自動投入装置２０から取り外されたときに、制御部４１が、表示部４４に表示してもよい。
【００４０】
（５）上記の実施例では、洗剤タンク３０が自動投入装置２０に取り付けられてから所定時間が経過した場合に、制御部４１が表示部４４に初期画面を表示していた。他の実施例では、戻るボタンＢ１、スタートボタンＢ２、閉じるボタンＢ３が押された場合に、制御部４１が表示部４４に初期画面を表示してもよい。
【００４１】
（６）他の実施例では、洗剤タンク３０が自動投入装置２０に取り付けられてから所定時間が経過した場合に、制御部４１が、自動投入装置２０から洗剤タンク３０を取り外す方法を示す取り外し方法情報を表示部４４に表示してもよい。
【００４２】
（７）他の実施例では、洗剤タンク３０が自動投入装置２０から取り外されたときに、制御部４１が、自動投入装置２０のメンテナンスの時期を示すメンテナンス情報を表示部４４に表示してもよい。たとえば、制御部４１が、「ＦＵＬＬ」の表示を表示部４４に表示した回数を計数し、計数した回数が所定回数（例えば１０回）に達した場合には、「メンテナンスを実施することをお勧めします」等のメンテナンスを推奨する情報を表示部４４に表示してもよい。また、制御部４１は、「メンテナンスを実施しましたか？」等の質問を表示部４４に表示してもよい。また、制御部４１は、「はい」及び「いいえ」のタッチキーを表示部４４に表示してもよい。洗濯機１０のユーザは、洗剤タンク３０のメンテナンスを実施すると共に、表示部４４に表示された「はい」のタッチキーを押すことができる。これによって、洗濯機１０のユーザに洗剤タンク３０のメンテナンスを促すことができる。また、ユーザが「はい」のタッチキーを押した場合、制御部４１がメンテナンス推奨のための計数をリセットする。
【００４３】
（８）上記の実施例は、ドラム式の洗濯機１０であったが、他の実施例では縦型の洗濯機１０であってもよい。
【００４４】
（９）上記の実施例は、制御部４１が、洗剤量情報として洗剤の容量を表示部４４に表示する構成であったが、他の実施例では、洗剤量情報として洗剤の重量を表示部４４に表示する構成であってもよい。制御部４１は、洗剤の重量に基づいて上記の第１表示処理及び第２表示処理を実行してもよい。
【００４５】
（１０）他の実施例では、上記のＳ１１で制御部４１が洗剤量情報、種類情報及び投入量情報等を表示部４４に表示するときに、自動投入装置２０に取り付けられた洗剤タンク３０に収容されている洗剤に関する情報のみを表示してもよい。
【００４６】
（１１）他の実施例では、制御部４１が、図９に示すように、運転コースを選択するためのユーザ操作を受け付ける画面Ｓ１を表示部４４に表示してもよい。洗濯機１０は、例えば、標準コース、つけおきコース及びスピードコース等の運転コースを実行可能に構成されている。洗濯機１０のユーザが図９に示す画面Ｓ１を操作することによって任意の運転コースを選択することができる。制御部４１は、図９に示す画面Ｓ１において、種類情報及び投入量情報を表示してもよい。その後、制御部４１は、洗剤タンク３０が自動投入装置２０に取り付けられた場合に、改めて種類情報及び投入量情報を表示部４４に表示してもよい（図６参照）。改めて表示部４４に表示された種類情報及び投入量情報は、洗濯機１０のユーザが操作部４５を操作することによって、その内容が変更されてもよい。
【００４７】
（１２）他の実施例では、制御部４１が、洗剤タンク３０に収容されている洗剤の量に基づく洗濯可能回数を表示部４４に表示してもよい。制御部４１は、洗剤タンク３０に収容されている洗剤の量を、１回の洗濯で使用される洗剤の量によって除することで洗濯可能回数を算出し、算出した洗濯可能回数を表示部４４に表示する。
【００４８】
（１３）他の実施例では、洗剤タンク３０が自動投入装置２０に取り付けられている状態で洗剤タンク３０に洗剤が補充される場合であって、満タンに近づいたことを検出部４３が検知した場合は、満タンになる直前に制御部４１が表示部４４に「ＦＵＬＬ」の表示を表示すると共にブザーで報知してもよい。そうすることで、洗剤タンク３０から洗剤が溢れる前に、ユーザが補充動作を止めることができるため、洗剤の溢れを防止することができる。また、洗剤が溢れてしまうことで洗剤タンク３０の投入口などの洗剤タンク３０の外側部分や、洗剤タンク３０の設置部分の周囲に洗剤が付着してしまうことを防止することができる効果がある。
【００４９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５０】
１０：洗濯機、１１：本体、１２：蓋、１３：洗濯槽、１４：ドラム、１５：モータ、１６：給水路、１７：排水路、１８：給水弁、１９：排水弁、２０：自動投入装置、２１：着脱容器、２２：第１洗剤供給路、２３：ピストンポンプ、２４：第２洗剤供給路、２５：第１逆止弁、２６：第２逆止弁、３０：洗剤タンク、３１：注入口、３２：排出口、４１：制御部、４２：記憶部、４３：検出部、４４：表示部、４５：操作部、５０：柔軟剤タンク
【図１】
2020074823.tif 000003
【図２】
2020074823.tif 000004
【図３】
2020074823.tif 000005
【図４】
2020074823.tif 000006
【図５】
2020074823.tif 000007
【図６】
2020074823.tif 000008
【図７】
2020074823.tif 000009
【図８】
2020074823.tif 000010
【図９】
2020074823.tif 000011